【事件の表示】
　特許第３２４４２１６号「用紙穿孔装置」の請求項１ないし４に係る特許に対する特許異議の申立てについて、次のとおり決定する。
【結　論】
　訂正を認める。
　特許第３２４４２１６号の請求項１ないし４に係る特許を取り消す。
【理　由】
１．手続の経緯
　特許第3244216号の請求項１乃至４に係る発明についての出願は、平成7年10月19日に特願平7-271433号として出願されたものであって、平成13年10月26日にその発明について特許権の設定登録がなされ、その後、その特許について、異議申立人須藤軍二より特許異議の申立てがなされ、取消しの理由が通知され、その指定期間内である平成15年2月17日に訂正請求がなされたものである。
　
２．訂正の適否についての判断
(1)訂正の内容
訂正事項ａ：特許請求の範囲の請求項１の
「用紙を穿孔位置に第１の速度で搬送する第１の搬送装置と、該第１の搬送装置により搬送された用紙に対して穿孔処理を行なう穿孔機構と、該穿孔機構により穿孔処理を受けた用紙を第１の速度よりも速い第２の速度で搬送する第２の搬送装置とを備えていることを特徴とする用紙穿孔装置。」
とあるのを、
「用紙を穿孔位置に第１の速度で搬送する第１の搬送装置と、該第１の搬送装置により搬送された用紙に対して穿孔処理を行なう穿孔機構と、
前記第１の搬送装置から用紙を受け取った後に穿孔処理位置にて用紙を停止させ、かつ、前記
と訂正する。
　
　なお、訂正された個所には下線を付した。以下、同様。
　
訂正事項ｂ：段落【０００６】を、
「【課題を解決するための手段】
　本発明の用紙穿孔装置は、用紙を穿孔位置に第１の速度で搬送する第１の搬送装置と、該第１の搬送装置により搬送された用紙に対して穿孔処理を行なう穿孔機構と、
前記第１の搬送装置から用紙を受け取った後に穿孔処理位置にて用紙を停止させ、かつ、前記
と訂正する。
　
訂正事項ｃ：段落【００４５】を、
「【００４５】
　【発明の効果】
　本発明によれば
、第１の搬送装置とは別に第２の搬送装置を設け、第１の搬送装置から用紙を受け取った後に穿孔処理位置にて用紙を停止させ、用紙に対して穿孔処理を行い、
用紙搬送速度
と訂正する。
　
訂正事項ｄ：段落【０００２】を、
「【０００２】
　【従来の技術】
　たとえば、複写機から出力された用紙をファイルバインダに綴じる場合には、複写機から出力された用紙に、一般に別途用意された電動式或いは手動式のパンチ装置を使用して孔を開けている。
しかしながら
と訂正する。
　
訂正事項ｅ：段落【００１２】を、
「【００１２】コントロールパネル１４から複写開始が指示されると、自動原稿送り装置２にセットされた原稿がプラテンガラスｌｂ上に給送され、プラテンガラス
ｌｂ
と訂正する。
　
訂正事項ｆ：段落【００２０】を、
「【００２０】
　第１の駆動モー夕１５の回転軸に取り付けられたプーリ１６の回転は、ベルト１７を介して径大プーリ１８に伝達される。径大プーリ１８に対しては径小プーリ１９が同軸的に取り付けられており、この径小プーリ１９によりベルト２０が回転駆動される。ベルト２０は、径小プーリ１９、排出ローラ９の駆動軸に固定されたプーリ２１、用紙搬送ローラ１０ａの駆動軸に固定されたプーリ２２、中間プーリ２３、用紙搬送ローラ１０ｂの駆動軸に固定されたプーリ２４、及び、用紙搬送ローラ１０ｃの駆動軸に固定されたプーリ２５に巻き掛けられており、第」の駆動モー夕１５により、排出ローラ９及び用紙搬送ローラ１０ａ，
１０ｂ，
と訂正する。
　
訂正事項ｇ：段落【００２６】を、
「【００２６】
　穿孔刃３７は、上側シュート４０及び下側シュート４１からなるシュートフレ一ム４２を貫通して上下方向に、スクロークＳの範囲で摺動可能となっている。
なお、
３７ａ
４３
と訂正する。
　
訂正事項ｈ：段落【００３８】を、
「【００３８】初期状態においては、紙穿孔装置１２の力ム３８は、図７に示すように水平位置、すなわち、ホームポジションの位置にあるものとする。また、
画像形成装置
と訂正する。
　
訂正事項ｉ：段落【００３９】を、
「【００３９】後処理装置３内に搬入された用紙は、第１の駆動モータ１５により回転駆動される用紙搬送ローラ１０ｂ，１０ｃにより、太線で示す用紙搬送経路に沿って固定搬送速度Ａで搬送され（符号ＱＩで示す）、用紙の先端は、用紙穿孔装置１２を通過し、更に、第２の駆動モータ２９により回転駆動される用紙搬送ローラ
１０ｄ
と訂正する。
　
訂正事項ｊ：段落【符号の説明】を、
「【符号の説明】
１…画像形成装置、ｌａ…
用紙収納部
原稿走査部
排出ローラ
２７…中間ギヤ
２８…駆動ギヤ
５２…マイクロプロセッサ、５３，５４
５５
と訂正する。
　
訂正事項ｋ：図面１０に記載された「排出ローラ１２」を「排出ローラ１１」と訂正する。
　
(2)訂正の目的の適否、新規事項の有無及び拡張・変更の存否
訂正事項ａについて：
　第２の搬送装置の有する機能に、用紙を停止させる機能をさらに特定する訂正であるので、特許請求の範囲の減縮を目的とした訂正であり、第２の搬送装置が用紙を停止させる機能を有していることは、特許明細書の段落【００４０】に記載された事項からも明らかであるので、願書に添付した明細書に記載した事項の範囲内の訂正であり、実質上特許請求の範囲を拡張し又は変更するものでもない。
　
訂正事項ｂについて：
　特許請求の範囲の訂正に対応しての訂正であるので、明りょうでない記載の釈明を目的とする訂正である。
　そして、この訂正は、願書に添付した明細書に記載した事項の範囲内の訂正であり、実質上特許請求の範囲を拡張し又は変更するものでもない。
　
訂正事項ｃについて
　上記下線部２箇所のうち、前半の訂正は、特許請求の範囲の訂正に対応しての訂正であるので、明りょうでない記載の釈明を目的とする訂正である。そして、願書に添付した明細書に記載した事項の範囲内の訂正であり、実質上特許請求の範囲を拡張し又は変更するものでもない。
　後半の訂正箇所「用紙搬送速度」は、訂正前の「用紙搬速度」との明らかな誤記の訂正を目的とする訂正である。そして、この訂正は、願書に最初に添付した事項の範囲内の訂正であり、実質上特許請求の範囲を拡張し又は変更するものでもない。
　
訂正事項ｄ〜ｈについて
　これらの訂正は、何れも明らかな誤記の訂正であるので、誤記の訂正を目的とする訂正である。
　そして、この訂正は、願書に最初に添付した事項の範囲内の訂正であり、実質上特許請求の範囲を拡張し又は変更するものでもない。
　
(3)むすび
　したがって、上記訂正は、特許法第１２０条の４第２項及び第３項で準用する第１２６条第２項から第４項までの規定に適合するので、当該訂正を認める。
　
３．特許異議の申立についての判断
(1)本件発明
　上記訂正が認められるから、本件の請求項１乃至４に係る発明（以下、「本件発明１乃至４」という。）は、上記訂正に係る訂正明細書の特許請求の範囲の請求項１乃至４に記載されたとおりのものと認められるところ、請求項１乃至４に係る発明は、以下のものである。
　
【請求項１】用紙を穿孔位置に第１の速度で搬送する第１の搬送装置と、
　該第１の搬送装置により搬送された用紙に対して穿孔処理を行なう穿孔機構と、
　前記第１の搬送装置から用紙を受け取った後に穿孔処理位置にて用紙を停止させ、かつ、前記穿孔機構により穿孔処理を受けた用紙を第１の速度よりも速い第２の速度で搬送する第２の搬送装置と
　を備えていることを特徴とする用紙穿孔装置。
【請求項２】前記第１の搬送装置を駆動する第１の駆動源と、前記第２の搬送装置を駆動する第２の駆動源とが、それぞれ独立して設けられていることを特徴とする請求項１記載の用紙穿孔装置。
【請求項３】前記穿孔機構が、動力断続手段を介して前記第１の駆動源に連結されていることを特徴とする請求項２記載の用紙穿孔装置。
【請求項４】
前記
　
　なお、全文訂正明細書の請求項４の記載には、「
前記
記
　
(2)引用刊行物に記載された発明
　当審が平成14年12月6日付けで通知した取消しの理由において引用した刊行物１（特開平6-135620号公報）、刊行物２（特開平2-182495号公報）、刊行物３（特開平3-25919号公報）及び刊行物４（特開平6-144690号公報）には、それぞれ以下のものが記載されている。
ア．刊行物１（特開平6-135620号公報）
記載事項（アー１）：
「また後者は、用紙の搬送を一旦停止してパンチ孔明けするので、パンチしている間は次の用紙の搬送等の処理ができず、画像形成装置のコピー処理能力を著しく低下させるという欠点があった。」（第２欄４〜７行参照）
記載事項（アー２）
「画像形成装置本体のコピースタートで後処理装置本体は、画像形成装置本体と略同速で駆動制御部１３を駆動し、用紙の受け入れ準備状態とする。コピーされた用紙が本体排紙ローラ１２を通過し、受け入れ搬送手段１４により搬送され、切り換え手段５により第１の搬送手段７へ案内される。第１の検知手段４が用紙の後端を検知して所定時間後、ロータリーパンチャー６が図示していない駆動源により駆動され、用紙にパンチ孔明けを行う。その所定時間後、用紙はロータリーパンチャー６を通過するが、この時点で駆動制御部１３がそれまでの画像形成装置本体と略同速度からそれより遠い速度に切り替えられて駆動され、この速度で用紙は第１の搬送手段７によりピントレイ９方向へ搬送される。」（第４欄２１〜３４行参照）
記載事項（アー３）
「搬送速度が速いほどパンチ穿孔位置のばらつきが大きくなる。よって搬送速度が低速側である時に、パンチ孔明けした方がばらつきを小さくできる。」（第４欄４９行〜第５欄１行参照））
　
イ．刊行物２（特開平2-182495号公報）
記載事項（イー１）
「排出装置を構成する放出ベルト機構においては、駆動プーリ‐７８とこの駆動プーリー７８の下方部分に配置されている固定ブーリー７９との間にエンドレスの放出ベルト７０が中間ローラー７７を介して掛け渡されており、ベルト駆動モーターからベルト駆動力が伝達されるようになっている。」（第８頁右下欄５〜１１行参照）
記載事項（イー２）
「放出ベルト７０の搬送速度Ｖ２は、排紙ローラー７１の排紙線速度Ｖ1よりやや大きくなるように（Ｖ２≧Ｖ1）に設定されており、これによってつきのジョブの紙束が既に綴じられた紙束と一緒に排出されないようになされている。」（第８頁右下欄１８行〜第９頁左上欄第３行参照）
記載事項（イー３）
「搬送ローラー６０，６１，６２には搬送モーター５９から図示を省略したベルトを通して駆動力が伝達されており、さらに排出ローラー７１にも搬送モーター５９から図示を省略したベルトにより駆動力が伝達されている。」（第８頁左上欄１７行〜右上欄１行参照）
　
ウ．刊行物３（特開平3-25919号公報）
記載事項（ウー１）
「複写機本体１０の複写済紙搬送ローラ２から供給される複写済紙Ｃにパンチ穴を形成し外部へ排出するパンチ穴形成機構１１とからなる。」（第４欄４３行〜第５欄１行参照）
記載事項（ウー２）
「かくして複写機本体１０の紙搬送ローラ２から供給される紙はループガイド部９を通過し、パンチ刃ガイド部１２に向かうが、その途中にその紙の先端が検知器５によって検出される。そしてその検知信号に基づいてパンチ制御回路１３によりストッパ３２の作動信号が出力され、更に所定時間後、つまり紙がパンチ穴穿孔位置に至った後に、カム３の作動信号が出力され、それによって摺動片１６を介して刃軸１５が下降し紙に所望の穴を形成する。なお、打抜かれた紙はパンチカス受け６に集められる。そしてストッパ３２は、作動停止信号の出力により降下する。
　このような紙に穴を形成された紙は先端に近い部分ではストッパ３２によって強制的に移動を阻止され、一方、後方部分は紙搬送ローラ２によって前方に押しやられている。従ってループガイド部９内の紙は第２図のごとくループを形成し、パンチ刃作動後、パンチ穴付紙がそのループによって［正確には更に紙搬送ローラ２による移動も加わって］、直接排出ローラ７に到達し押し込まれ排出される。」（第５欄２６行〜第６欄６行参照）
記載事項（ウー３）
「なお、第３図において、２６は、駆動用モータ２７よりベルト２８によって動力を受けるプーリで、２９はそのプーリからの動力をカム３に切換伝達するカム制御ソレノイドである。３０，３１は排出ローラ７駆動用ギアである。」（第６欄２１〜２５行参照）
　
エ．刊行物４（特開平6-144690号公報）
記載事項（エー１）
「このパンチ機構３４は、レバー７５とレバー７５によって作動するパンチ（図示せず）を有している。レバー７５は、このスタンプ・パンチ装置２１の底部に回転可能に取り付けられた偏心カム７６によって作動させられるようになっている。
・・・・・・・・
図８に、用紙搬送のための駆動機構及びスタンプ機構３３及びパンチ機構３４を駆動するための駆動機構を示す。この駆動機構は、搬送用のドライブモータ８０と、スタンプ・パンチモータ８１とを有している。ドライブモータ８０の回転出力は、ギア８２，８３，８４を介して搬送ローラ４２に伝達される。
【００２８】一方、スタンプ・パンチモータ８１の回転出力は、ギア８５，８６，８７及びクラッチ７９を介して偏心カム７６が固定された回転軸８８に伝達される。
また、スタンプ・パンチモータ８１の回転出力は、・・・・・を介して、導入ローラ３６ａに伝達され、また、プーリ９１ａ、９１ｂ、ベルト９０ｂ、クラッチ１０４ｂを介して導入ローラ３６ｂに伝達される。」（第７欄第７〜２８行参照）
記載事項（エー２）
「各ローラ３６ａ、３６ｂ、４２，３７を回転させる。これにより、前期同様に用紙は導入ローラ３６ａ、３６ｂから第１搬送路４０に案内され、さらに搬送ローラ４２及び排出ローラ３７によりソータ７側に搬送される。」（第１５欄３９〜４３行参照）
記載事項（エー３）
「パンチ処理が終了すると、ステップＳ９１において搬送ローラ４２を正回転させるとともに、クラッチ１０３を連結して排出ローラ３７を回転させる。これにより、第１搬送路４０及び第２搬送路４１内の用紙はソータ７側に排出される。」（第１６欄４８行〜第１７欄３行参照）
　
(3)対比・判断
(3-1)本件発明１について
　上記記載事項（アー２）には、用紙後処理装置に受け入れられた用紙を、受け入れ搬送手段１４によって、ロータリーパンチャー６へ第１の速度で搬送し、次いでロータリーパンチャー６によって当該用紙にパンチ穴明けを行い、そのパンチ穴明け処理された用紙を、第１の搬送手段７によって、上記第１の速度よりも遠い第２の速度で搬送する用紙穿孔装置が記載されており、刊行物１記載の発明の「受け入れ搬送手段１４」、「ロータリーパンチャー６」、「第１の搬送手段７」は、それぞれ、本件発明１の、「第１の搬送装置」、「穿孔機構」、「第２の搬送手段」に相当する。
　
　本件発明１と刊行物１に記載されたものとを対比すると、両者は、「用紙を穿孔位置に第１の速度で搬送する第１の搬送装置と、該第１の搬送装置により搬送された用紙に対して穿孔処理を行なう穿孔機構と、前記穿孔機構により穿孔処理を受けた用紙を第１の速度よりも速い第２の速度で搬送する第２の搬送装置とを備えていることを特徴とする用紙穿孔装置。」である点で一致し、以下の点で相違している。
　
相違点：
　穿孔処理を行うやり方に関し、本件発明１においては、第１の搬送装置から用紙を第２の搬送装置で受け取った後に、用紙の搬送を停止させて穿孔処理を行い、穿孔処理の後に第２の速度で搬送しているのに対し、刊行物１に記載された発明においては、第１の搬送速度で搬送されている時に、用紙を停止させることなく穿孔処理を行ない、その後第２の速度で搬送している点。
　
　そこで、上記相違点について検討する。
　刊行物１の記載事項（アー１）にも示されているように、用紙の搬送を一旦停止して穿孔処理を行うことは従来から広く知られていることである。
　刊行物１に記載された発明は、用紙の搬送を停止することなく穿孔処理するものであるが、刊行物１には、(a)「用紙の搬送を停止して穿孔処理する場合は、処理能力が低下すること」（記載事項（アー１）参照）、及び(b)「搬送速度が速い状態で穿孔処理すると、処理能力は上昇するが、穿孔位置にばらつきが生じること」（記載事項（アー３）参照）が記載されており、処理能力を優先とするか、あるいは、穿孔処理制度を優先とするかによって、穿孔処理を行う際の搬送速度の調整を行うことが記載されているといえよう。
　してみると、用紙の搬送を停止することは、搬送速度を最低限（すなわち零）とすることであり、また、用紙の搬送を停止して穿孔すること自体、従来からよく知られ、行われていることであるので、本件発明１において用紙の搬送を停止させて穿孔処理を行った点には格別のものはないというべきである。
　また、用紙を搬送する搬送装置は、第１の搬送装置と第２の搬送装置の２つしかなく、いずれかの装置を停止させるしかないのであるから、第２の装置で受け取った後に用紙の搬送を停止させた点にも、格別の困難があったとは認められない。
　
　よって、本件発明１は、刊行物１に記載された発明から当業者が容易に発明できたものと認められる。
　
　なお、権利者は、平成１５年２月１７日付け特許異議意見書において、「確かに、一つの搬送装置で用紙の搬送を停止させることは周知技術と言えるかもしれないが、本件のように、第１の搬送装置とは別に高速用の第２の搬送装置を備え、この第２の搬送装置により、第１の搬送装置から用紙を受け取った後に停止させるようにした点は本件発明独自のものであって、周知技術と言えないものであることは明らかである。」（意見書第３頁２９行〜第４頁４行参照）と主張している。
　しかしながら、第１の搬送装置とは別に高速用の第２の搬送装置を備えたものにおいても、搬送速度を低下させて穿孔処理することが記載されているのであるから、用紙を搬送せずに一端停止させて穿孔すれば、処理能力は低下するものの、穿孔精度が最も高くなることは当業者には容易に理解されることである。
　処理能力を優先とするか、穿孔位置の精度を優先とするかは、選択の問題であり、かつ、第２の搬送装置により、第１の搬送装置から用紙を受け取った後に停止させるようにした点についても、上記で述べたように格別のものでもないので、権利者の主張は採用しない。
　
(3-2)本件発明２について
　本件発明２は、本件発明１における第１の搬送装置の駆動源と第２の搬送装置の駆動源をそれぞれ独立して設けたものである。
　ところで、刊行物２には、穿孔装置ではないものの、穿孔処理と同様の後処理であるステープラーの前後の搬送装置が、排紙ローラー７１及び放出ベルト７０により別の速度で駆動され、かつ、それらの駆動装置が別々の駆動源（搬送モーター５９及びベルト駆動モーター）を有するものが記載されている。
　穿孔処理もステープラーによって用紙を綴じることも、何れも複写機から出力されてきた用紙の後処理であるので、搬送装置の駆動源を独立して設けた点に格別の困難があったとは認められない。
　よって、本件発明２は、刊行物１及び刊行物２に記載された発明から、当業者が容易に発明できたものと認められる。
　
(3-3)本件発明３について
　本件発明３は、本件発明２における穿孔機構が動力断続手段を介して第１の動力源に連結されている点をさらに特定したものである。
　ところで、刊行物３には、パンチ刃などからなる穿孔機構が、カム軸に固定されたカム３により駆動され、カム制御ソレノイド２９より成る動力断続手段を介して駆動用モータ２７より成る駆動源に連結されていることが記載されており、上記特定した点に格別の困難があったとは認められない。
　よって、本件発明３は、刊行物１、刊行物２及び刊行物３に記載された発明から、当業者が容易に発明できたものと認められる。
　
(3-4)本件発明４について
　本件発明４は、本件発明３における穿孔機構を、穿孔刃と、穿孔刃を駆動するカムと、カムが取り付けられたカム軸を備えており、カム軸が動力伝達手段を介して第１の駆動源に連結されていることを特定するものである。
　ところで刊行物４には、パンチ機構３４が回転軸８８に固定された偏心カム７６と、この偏心カム７６により駆動されるパンチとからなり、回転軸８８がクラッチ７９よりなる動力断続手段を介してスタンプ・パンチモータ８１よりなる第１の駆動源に連結されているものが記載されている。してみると、上記特定した点に、格別の困難があったとは認められない。
　よって、本件発明３は、刊行物１、刊行物２及び刊行物４に記載された発明から、当業者が容易に発明できたものと認められる。
　
(4)むすび
　以上のとおり、本件発明１乃至４は、上記刊行物１乃至４に記載のものから当業者が容易に発明することができたものであるから、本件発明１乃至４についての特許は特許法第２９条第２項の規定に反してされたものであり、同法第１１３条第２号に該当し、取り消されるべきものである。
　よって、結論のとおり決定する。
【異議決定日】
平成１５年４月１４日（２００３．４．１４）
【訂正の要旨】
（１）　訂正事項ａ
　本件特許公報の特許請求の範囲請求項１に係る記載
「　　【請求項１】
　用紙を穿孔位置に第１の速度で搬送する第１の搬送装置と、
　該第１の搬送装置により搬送された用紙に対して穿孔処理を行なう穿孔機構と、
　該穿孔機構により穿孔処理を受けた用紙を第１の速度よりも速い第２の速度で搬送する第２の搬送装置と
を備えていることを特徴とする用紙穿孔装置。」を以下のように訂正する。
　　　記
『　　【請求項１】
　用紙を穿孔位置に第１の速度で搬送する第１の搬送装置と、
　該第１の搬送装置により搬送された用紙に対して穿孔処理を行なう穿孔機構と、
　
前記第１の搬送装置から用紙を受け取った後に穿孔処理位置にて用紙を停止させ、かつ、前記
を備えていることを特徴とする用紙穿孔装置。』
（２）　訂正事項ｂ
　明細書の【０００６】の記載を以下のように訂正する。
　　　記
『　　　【０００６】
　【課題を解決するための手段】
　本発明の用紙穿孔装置は、用紙を穿孔位置に第１の速度で搬送する第１の搬送装置と、該第１の搬送装置により搬送された用紙に対して穿孔処理を行なう穿孔機構と、
前記第１の搬送装置から用紙を受け取った後に穿孔処理位置にて用紙を停止させ、かつ、前記
（３）　訂正事項ｃ
　明細書の【００４５】の記載を以下のように訂正する。
　　　記
『　　　【００４５】
　【発明の効果】
　本発明によれば
、第１の搬送装置とは別に第２の搬送装置を設け、第１の搬送装置から用紙を受け取った後に穿孔処理位置にて用紙を停止させ、用紙に対して穿孔処理を行い、
用紙搬送速度
（４）　訂正事項ｄ
　明細書の【０００２】の記載を以下のように訂正する。
　　　記
『　　　【０００２】
　【従来の技術】
　たとえば、複写機から出力された用紙をファイルバインダに綴じる場合には、複写機から出力された用紙に、一般に別途用意された電動式或いは手動式のパンチ装置を使用して孔を開けている。
しかしながら
（５）　訂正事項ｅ
　明細書の【００１２】の記載を以下のように訂正する。
　　　記
『　　　【００１２】
　コントロールパネル１４から複写開始が指示されると、自動原稿送り装置２にセットされた原稿がプラテンガラス１ｂ上に給送され、プラテンガラス
１ｂ
（６）　訂正事項ｆ
　明細書の【００２０】の記載を以下のように訂正する。
　　　記
『　　　【００２０】
　第１の駆動モータ１５の回転軸に取り付けられたプーリ１６の回転は、ベルト１７を介して径大プーリ１８に伝達される。径大プーリ１８に対しては径小プーリ１９が同軸的に取り付けられており、この径小プーリ１９によりベルト２０が回転駆動される。ベルト２０は、径小プーリ１９、排出ローラ９の駆動軸に固定されたプーリ２１、用紙搬送ローラ１０ａの駆動軸に固定されたプーリ２２、中間プーリ２３、用紙搬送ローラ１０ｂの駆動軸に固定されたプーリ２４、及び、用紙搬送ローラ１０ｃの駆動軸に固定されたプーリ２５に巻き掛けられており、第１の駆動モータ１５により、排出ローラ９及び用紙搬送ローラ１０ａ，
１０ｂ，
（７）　訂正事項ｇ
　明細書の【００２６】の記載を以下のように訂正する。
　　　記
『　　　【００２６】
　穿孔刃３７は、上側シュート４０及び下側シュート４１からなるシュートフレーム４２を貫通して上下方向に、スクロークＳの範囲で摺動可能となっている。なお、
３７ａ
４３
（８）　訂正事項ｈ
　明細書の【００３８】の記載を以下のように訂正する。
　　　記
『　　　【００３８】
　初期状態においては、紙穿孔装置１２のカム３８は、図７に示すように水平位置、すなわち、ホームポジションの位置にあるものとする。また、
画像形成装置
（９）　訂正事項ｉ
　明細書の【００３９】の記載を以下のように訂正する。
　　　記
『　　　【００３９】
　後処理装置３内に搬入された用紙は、第１の駆動モータ１５により回転駆動される用紙搬送ローラ１０ｂ，１０ｃにより、太線で示す用紙搬送経路に沿って固定搬送速度Ａで搬送され（符号Ｑ１で示す）、用紙の先端は、用紙穿孔装置１２を通過し、更に、第２の駆動モータ２９により回転駆動される用紙搬送ローラ
１０ｄ
（１０）　訂正事項ｊ
　明細書の【符号の説明】の記載を以下のように訂正する。
　　　記
『　　【符号の説明】
　１…画像形成装置、１ａ…
用紙収納部
原稿走査部
排出ローラ
２７…中間ギヤ
２８…駆動ギヤ
５２…マイクロプロセッサ、５３，５４
５５
（１１）　訂正事項ｋ
　図面の図１０を別紙の通り訂正する。
（５４）【発明の名称】
用紙穿孔装置
（５７）【特許請求の範囲】
　【請求項１】　用紙を穿孔位置に第１の速度で搬送する第１の搬送装置と、
　該第１の搬送装置により搬送された用紙に対して穿孔処理を行なう穿孔機構と、
　前記第１の搬送装置から用紙を受け取った後に穿孔処理位置にて用紙を停止させ、かつ、前記穿孔機構により穿孔処理を受けた用紙を第１の速度よりも速い第２の速度で搬送する第２の搬送装置と
を備えていることを特徴とする用紙穿孔装置。
　【請求項２】　前記第１の搬送装置を駆動する第１の駆動源と、前記第２の搬送装置を駆動する第２の駆動源とが、それぞれ独立して設けられていることを特徴とする請求項１記載の用紙穿孔装置。
　【請求項３】　前記穿孔機構が、動力断続手段を介して前記第１の駆動源に連結されていることを特徴とする請求項２記載の用紙穿孔装置。
　【請求項４】　記穿孔機構が、穿孔刃と、該穿孔刃を駆動するカムと、該カムが取り付けられたカム軸を備えており、前記カム軸が前記動力断続手段を介して前記第１の駆動源に連結されていることを特徴とする請求項３記載の用紙穿孔装置。
【発明の詳細な説明】
　【０００１】
　【発明の属する技術分野】
　本発明は、複写用紙等の用紙に対して穿孔処理を行なう用紙穿孔装置に関し、特に、画像形成装置の用紙後処理装置において使用して好適な用紙穿孔装置に関する。
　【０００２】
　【従来の技術】
　たとえば、複写機から出力された用紙をファイルバインダに綴じる場合には、複写機から出力された用紙に、一般に別途用意された電動式或いは手動式のパンチ装置を使用して孔を開けている。しかしながら、このパンチ装置を使用するためには人手が必要であり、また、複写機から出力された用紙を別の個所に移動させなければならないので、作業能率が悪いという問題がある。
　【０００３】
　このような問題を解決するものとして、特開昭６１−９４１８０号公報、特開昭６３−３０００７０号公報、特開平３−１９０６９６号公報、実開昭６４−４９８５０号公報、実開昭６４−５２６９５号公報等に開示されているように、複写機の後処理装置として、複写された用紙に自動的に孔を開ける用紙穿孔装置を設けることが知られている。
　【０００４】
　【発明が解決しようとする課題】
　従来の用紙穿孔装置においては、用紙を一定速度で穿孔位置まで搬送し、一旦用紙を停止させて穿孔処理を行い、穿孔処理処理後に一定速度で搬出している。連続して穿孔作業を行なう場合、生産性を高めるためには複数枚の用紙をできるだけ間隔を詰めて搬送する必要がある。しかしながら、穿孔作業を行なうためには、用紙を一旦停止させなければならないため、停止状態の先行する用紙の後端に後続する用紙の先端が衝突しないようにするために、隣接する用紙の間には一定の間隔を設ける必要がある。このため、穿孔作業の生産性の向上には限度があった。
　【０００５】
　そこで本発明は、穿孔作業の生産性を向上させることを課題とする。また、本発明は、穿孔作業を行なうための機構を簡単化することを課題とする。
　【０００６】
　【課題を解決するための手段】
　本発明の用紙穿孔装置は、用紙を穿孔位置に第１の速度で搬送する第１の搬送装置と、該第１の搬送装置により搬送された用紙に対して穿孔処理を行なう穿孔機構と、前記第１の搬送装置から用紙を受け取った後に穿孔処理位置にて用紙を停止させ、かつ、前記穿孔機構により穿孔処理を受けた用紙を第１の速度よりも速い第２の速度で搬送する第２の搬送装置とを備えていることを特徴とする。
　【０００７】
　【発明の実施の形態】
　本発明の実施例を以下に示す。
　【０００８】
　図１は、本発明が適用される画像形成システム全体の概略構成を示す断面図である。
　【０００９】
　図１において、画像形成装置１は、用紙を収納する複数のトレイを備えた用紙収納部１ａと、ランプ、ミラー、レンズ等からなりプラテンガラス１ｂ上に載置された原稿を走査して読み取る原稿走査部１ｃと、原稿からの反射光に基づいて感光体上にトナー像を形成しこのトナー像を用紙収納部１ａから供給された用紙上に転写する電子写真画像形成部１ｄと、用紙に転写されたトナー像を定着する定着部１ｅと、画像形成装置１の上部に設けられたコントロールパネル１４等を備えている。
　【００１０】
　画像形成装置１の上方には、原稿を原稿走査部１ｃのプラテンガラス１ｂ上の所定位置に一枚ずつ送り込む自動原稿送り装置２が設けられている。
　【００１１】
　また、画像形成装置１の側面には、画像形成装置１から排出された用紙に対して丁合処理、ステープル処理、穿孔処理等の後処理を行う後処理装置３が配置されている。
　【００１２】
　コントロールパネル１４から複写開始が指示されると、自動原稿送り装置２にセットされた原稿がプラテンガラス１ｂ上に給送され、プラテンガラス１ｂ上の原稿が原稿走査部１ｃにより走査される。電子写真画像形成部１ｄにおいては、周知の帯電、露光、現像のプロセスにより感光体上にトナー像が形成される。このトナー像は、用紙収納部１ａから搬送されてきた用紙の上に転写され、用紙上に原稿の画像に対応したトナー像が形成される。このトナー像は、定着部１ｅにおいて用紙に定着され、定着後の用紙は前記後処理装置３に送られる。
　【００１３】
　前記後処理装置３に送り込まれた用紙は、切換ゲート８により、スタックトレイ４またはソートビントレイ５のいずれかに振り分けられる。
　【００１４】
　スタックトレイ４への排出の場合、切換ゲート８により複写用紙（符号６で示す）はスタックトレイ４側に導かれ、用紙搬送ローラ１０ａ，１０ｂ及び排出ローラ９によりスタックトレイ４に排出される。
　【００１５】
　また、コントロールパネル１４から穿孔処理やステープル処理が設定されている場合には、複写用紙（符号７で示す）は切換ゲート８によりソートビントレイ５側へ導かれる。
　【００１６】
　ソートビントレイ５側への経路の途中には、用紙穿孔装置１２が配置されており、用紙搬送ローラ１０ｃ，１０ｄにより複写用紙（符号７で示す）は一旦停止し、用紙に穿孔処理を行なうようになっている。用紙穿孔装置１２の詳細については後述する。穿孔処理が終了すると、再度用紙搬送ローラ１０ｄにより複写用紙は搬送され、排出ローラ１１によりソートビントレイ５側へ順次排出収納される。
　【００１７】
　収納終了後、ソートビントレイの各ビンに収納された複写用紙に対して、ソートビントレイ５側に配置されたステープル装置１３により、順次ステープル処理が行われる。
　【００１８】
　上記構成において、すでにソートビントレイ５に複写用紙が収容された状態であっても、継続して次の複写モードを受け付けることができるようになっている。ここで、先に収容された複写用紙に対して穿孔処理が行われている場合、コントロールパネル１４によりステープル処理を設定すると、自動的に穿孔処理も設定され、また、コントロールパネル１４の表示部に穿孔処理を実行する旨の表示を行なう。
　【００１９】
　次に、後処理装置３の用紙搬送系の駆動機構について説明する。図２は、後処理装置３の用紙搬送系の駆動機構を示す概略断面図である。
　【００２０】
　第１の駆動モータ１５の回転軸に取り付けられたプーリ１６の回転は、ベルト１７を介して径大プーリ１８に伝達される。径大プーリ１８に対しては径小プーリ１９が同軸的に取り付けられており、この径小プーリ１９によりベルト２０が回転駆動される。ベルト２０は、径小プーリ１９、排出ローラ９の駆動軸に固定されたプーリ２１、用紙搬送ローラ１０ａの駆動軸に固定されたプーリ２２、中間プーリ２３、用紙搬送ローラ１０ｂの駆動軸に固定されたプーリ２４、及び、用紙搬送ローラ１０ｃの駆動軸に固定されたプーリ２５に巻き掛けられており、第１の駆動モータ１５により、排出ローラ９及び用紙搬送ローラ１０ａ，１０ｂ，１０ｃが共通に回転駆動される。本実施例においては、第１の駆動モータ１５として、たとえば、ＤＣモータが使用される。
　【００２１】
　更に、用紙搬送ローラ１０ｃの駆動軸には、同軸的にギヤ２６が固定されており、このギヤ２６は中間ギヤ２７を介して用紙穿孔装置１２の駆動ギヤ２８に伝達される。
　【００２２】
　また、第２の駆動モータ２９の回転軸に取り付けられたプーリ３０、中間プーリ３１，３２、用紙搬送ローラ１０ｄの駆動軸に固定されたプーリ３３、中間プーリ３４、及び排出ローラ１１の駆動軸に固定されたプーリ３５には、ベルト３６が巻き掛けられており、第２の駆動モータ２９により、用紙搬送ローラ１０ｄ及び排出ローラ１１が共通に回転駆動される。なお、本実施例においては、第２の駆動モータ２９として、速度制御が容易なパルスモータが使用される。
　【００２３】
　次に、用紙穿孔装置１２の詳細について説明する。
　【００２４】
　図３は用紙穿孔装置の正面図、図４は用紙穿孔装置の平面図、図５は用紙穿孔装置の底面図、図６は用紙穿孔装置の側面図、図７は用紙穿孔装置のカム部分の断面図である。
　【００２５】
　図７に示すように、用紙穿孔装置１２は、穿孔刃３７と、この穿孔刃３７を駆動するカム３８と、穿孔刃３７をカム３８方向に付勢する圧縮バネ３９とを備えている。各穿孔刃３７は、用紙の穿孔位置に対応して配置されている。
　【００２６】
　穿孔刃３７は、上側シュート４０及び下側シュート４１からなるシュートフレーム４２を貫通して上下方向に、スクロークＳの範囲で摺動可能となっている。なお、３７ａは押し下げられた状態の穿孔刃を示す。上側シュート４０及び下側シュート４１には、穿孔刃３７の径に対応する貫通孔４３が形成されており、下側の貫通孔４３の周囲は穿孔刃３７に対する受け刃を構成している。また、上側シュート４０には、穿孔刃３７を案内するための穿孔刃ガイド部材４４が設けられている。用紙７は、上側シュート４０と下側シュート４１の間を矢印Ａ方向に通過し、用紙が静止状態にあるときに、穿孔刃３７を用紙搬送面を貫通して突出させるとにより穿孔処理が行われる。
　【００２７】
　前記カム３８は，略卵状の形状を有しており、カム軸４５に取り付けられている。
　【００２８】
　カム軸４５は、上側シュート４０に設けられた軸受部材４６により回転自在に支持されている。カム軸４５の一端には電磁クラッチ４７を介して駆動ギヤ２８が連結されている。この駆動ギヤ２８には、第１の駆動モータ１５の回転が、プーリ１６、ベルト１７、プーリ１８，１９、ベルト２０、プーリ２５、ギヤ２６、及び中間ギヤ２７を介して伝えられる。
　【００２９】
　また、カム軸４５の一端には、カム軸４５の中心から半径方向に形成された基準位置を示すスリット（図示せず）を有する遮光板４８が取り付けられている。遮光板４８を挟んでスリットの位置を検出するフォトセンサ４９が配置されており、遮光板４８とフォトセンサ４９でカムポジションセンサ５０を構成している。
　【００３０】
　なお、本実施例においては、電磁クラッチ４７を、カム軸４５に取り付けた係止ギヤ４７ａ、このギヤ４７ａに係合するフックレバー４７ｂ、及び、このフックレバー４７ｂを駆動するソレノイド４７ｃより構成されており、ソレノイド４７ｃのオン・オフにより回転力を断続するようにしているが、これに限定されるものではなく、任意の動力断続手段を使用することができる。
　【００３１】
　また、シュートフレーム４２の用紙入口側には、用紙の通過を検出する用紙センサ５１が設けられている。たとえば、用紙センサ５１は、用紙が存在するときにオンとなり、存在しないときにオフとなる。
　【００３２】
　図８は、用紙穿孔装置１２の動作を制御するための電気回路の原理的なブロック図である。
　【００３３】
　コントロールパネル１４は用紙穿孔装置１２の動作モードの設定を含む各種の指示を複写機に対して入力したり、入力された情報や複写機の動作状態を表示するためのものである。コントロールパネル１４からは、後処理装置３内の用紙穿孔装置１２を動作させるか否か、すなわち、パンチモードを設定するか否かの指示を含む各種の指示を入力する。
　【００３４】
　コントロールパネル１４からの信号は、カムポジションセンサ５０、用紙センサ５１等からの入力信号と共にマイクロプロセッサ５２に供給される。
　【００３５】
　マイクロプロセッサ５２は、これらの入力信号に応じて、モータ制御回路５３を介して第１の駆動モータ１５を制御し、モータ制御回路５４を介して第２の駆動モータ２９を制御し、クラッチ制御回路５５を介して電磁クラッチ４７を制御する。
　【００３６】
　次に、上述した用紙穿孔装置１２の動作について説明する。但し、ここでは後処理装置３に対してパンチモードが設定されており、後処理装置３は、このパンチモードに従って動作するものとする。
　【００３７】
　図９は、用紙穿孔装置１２の基本的な動作を説明するためのフローチャートである。また、図１０は、後処理装置３内における用紙の搬送タイミングを示すタイミングチャートである。
　【００３８】
　初期状態においては、紙穿孔装置１２のカム３８は、図７に示すように水平位置、すなわち、ホームポジションの位置にあるものとする。また、画像形成装置１から後処理装置３に用紙が搬送されるに先だって、第１の駆動モータ１５及び第２の駆動モータ２９は、一定速度で回転駆動されているものとする。
　【００３９】
　後処理装置３内に搬入された用紙は、第１の駆動モータ１５により回転駆動される用紙搬送ローラ１０ｂ，１０ｃにより、太線で示す用紙搬送経路に沿って固定搬送速度Ａで搬送され（符号Ｑ１で示す）、用紙の先端は、用紙穿孔装置１２を通過し、更に、第２の駆動モータ２９により回転駆動される用紙搬送ローラ１０ｄにより搬送される。図１０において、符号Ｐ１Ｌは先行用紙Ｐ１の先端の軌跡（実線で示す）を示し、符号Ｐ１Ｔは先行用紙Ｐ１の後端の軌跡（一点鎖線で示す）を示す。また、符号Ｐ２Ｌは後続用紙Ｐ２の先端の軌跡（実線で示す）を示し、符号Ｐ２Ｔは後続用紙Ｐ２の後端の軌跡（一点鎖線で示す）を示す。
　【００４０】
　先行用紙Ｐ１の後端が用紙センサ５１を通過すると、用紙センサ５１がオンからオフとなり、この信号の変化がマイクロプロセッサ５２に伝えられ（ステップ１０１）、マイクロプロセッサ５２からモータ制御回路５４に対して速度低下の指示が与えられる。これにより、第２の駆動モータ２９の回転が遅くなり（ステップ１０２）、用紙は固定搬送速度Ａよりも遅い速度で搬送され（符号Ｑ２で示す）、一定時間後に第２の駆動モータ２９の回転が停止される（符号Ｑ３で示す）。これにより、用紙の後端の穿孔されるべき位置が、用紙穿孔装置１２に対向することとなる。
　【００４１】
　用紙の搬送が停止されると（ステップ１０３）、電磁クラッチ４７がオンとされ（ステップ１０４）、第１の駆動モータ１５により回転駆動されている駆動ギヤ２８の回転がカム軸４５に伝達される。これにより、カム軸４５が回転を開始し、図７に示すように、カム３８が矢印Ｂ方向に回転し、穿孔刃３７が下方に押圧され、穿孔刃３７がシュートフレーム４２の用紙搬送面を貫通し、用紙に穴が開けられる。カム軸４５が一定時間内に１回転して元の位置に戻ったことがカムポジションセンサ５０により検出されると、穿孔動作が正常に完了したと見なして（ステップ１０５）、第２の駆動モータ２９の回転が所定速度で再開され（符号Ｑ４で示す）（ステップ１０６）、一定時間後に、駆動モータ２９が定速回転とされ（符号Ｑ５で示す）、用紙搬送ローラ１０ｄ及び排出ローラ１１により、用紙が固定搬送速度Ａよりも速い固定搬送速度Ｂで搬送され、ソートビントレイに排出される。なお、カム軸４５が一定時間内に１回転して元の位置に戻らない場合には、穿孔処理が失敗したと見なして、装置の動作停止やコントロールパネル１４への異常発生表示等の処理を行なう（ステップ１０８）。
　【００４２】
　上述のように、穿孔処理後の用紙を穿孔処理前の用紙よりも速く搬送する理由は以下の通りである。
　【００４３】
　先行の用紙Ｐ１が穿孔処理のために用紙穿孔装置１２の位置において停止している状態においても、後続の用紙Ｐ２が後処理装置３内に搬入されており、用紙Ｐ２の先端は用紙穿孔装置１２の方向に進んで、先行の用紙Ｐ１の後端に接近している。後続の用紙Ｐ２の先端が先行の用紙Ｐ１の後端に追突しないようにするためには、先行の用紙と後続の用紙の間隔を広くする必要がある。しかしながら、このように連続する用紙の間隔を広げると、穿孔処理の生産性が低下するという問題がある。
　【００４４】
　そこで、本実施例においては、穿孔処理後の用紙を穿孔処理前の用紙よりも速く搬送している。これにより、後続の用紙Ｐ２の先端が固定搬送速度Ａで用紙穿孔装置１２に接近したとき、先行の用紙Ｐ１の後端は用紙穿孔装置１２から固定搬送速度Ａよりも速い固定搬送速度Ｂで離れるので、先行の用紙Ｐ１の後端は、後続の用紙Ｐ２の先端から速度（Ａ−Ｂ）で離れることになる。たとえば、先行の用紙Ｐ１の後端が用紙穿孔装置１２を通過する時点では、後続の用紙Ｐ２の先端との距離はＴとなり、追突を防止するのに十分名距離を確保することができる。したがって、穿孔処理の前後で用紙を一定速度で搬送する場合に比較して、後続の用紙Ｐ２の先端は先行の用紙Ｐ１の後端に追突しにくくなり、隣接する用紙の間隔を狭くすることができ、穿孔処理の生産性を高めることができる。図１０において、点線は穿孔処理の前後で用紙を一定速度で搬送する場合の先行の用紙Ｐ１の後端を示しており、符号Ｒで示す位置で、後続の用紙Ｐ２の先端が先行の用紙Ｐ１の後端に追突している。
　【００４５】
　【発明の効果】
　本発明によれば、第１の搬送装置とは別に第２の搬送装置を設け、第１の搬送装置から用紙を受け取った後に穿孔処理位置にて用紙を停止させ、用紙に対して穿孔処理を行い、穿孔処理後の用紙搬送速度を穿孔処理前の速度よりも速くしたので、隣接する用紙の間隔を狭くすることができ、穿孔処理の生産性を高めることができる。
　【００４６】
　また、用紙搬送用の駆動源を用紙穿孔装置を挟んで独立に二つ設けたので、用紙穿孔装置の前後で用紙搬送速度を独立に設定することができる。
　【００４７】
　また、用紙搬送用の駆動源と穿孔処理用の駆動源が共通であるので、小型化及び低コスト化が可能となり、制御も簡略化される。
【図面の簡単な説明】
　【図１】　本発明が適用される画像形成システム全体の概略構成を示す断面図である。
　【図２】　後処理装置３の用紙搬送系の駆動機構を示す概略断面図である。
　【図３】　用紙穿孔装置の正面図である。
　【図４】　用紙穿孔装置の平面図である。
　【図５】　用紙穿孔装置の底面図である。
　【図６】　用紙穿孔装置の側面図である。
　【図７】　用紙穿孔装置のカム部分の断面図である。
　【図８】　用紙穿孔装置の動作を制御するための電気回路の原理的なブロック図である。
　【図９】　用紙穿孔装置の基本的な動作を説明するためのフローチャートである。
　【図１０】　後処理装置３内における用紙の搬送タイミングを示すタイミングチャートである。
　【符号の説明】
　１…画像形成装置、１ａ…用紙収納部、１ｂ…プラテンガラス、１ｃ…原稿走査部、１ｄ…電子写真画像形成部、１ｅ…定着部、２…自動原稿送り装置、３…後処理装置、４…スタックトレイ、５…ソートビントレイ、６，７…複写用紙、８…切換ゲート、９…排出ローラ、１０…用紙搬送ローラ、１１…排出ローラ、１２…用紙穿孔装置、１３…ステープル装置、１４…コントロールパネル、１５…第１の駆動モータ、１６…プーリ、１７…ベルト、１８…径大プーリ、１９…径小プーリ、２０…ベルト、２１…プーリ、２２…プーリ、２３…中間プーリ、２４…プーリ、２５…プーリ、２６…ギヤ、２７…中間ギヤ、２８…駆動ギヤ、２９…第２の駆動モータ、３０…プーリ、３１，３２…中間プーリ、３３…プーリ、３４…中間プーリ、３５…プーリ、３６…ベルト、３７…穿孔刃、３８…カム、３９…圧縮バネ、４０…上側シュート、４１…下側シュート、４２…シュートフレーム、４３…貫通孔、４４…穿孔刃ガイド部材、４５…カム軸、４６…軸受部材、４７…電磁クラッチ、４８…遮光板、４９…フォトセンサ、５０…カムポジションセンサ、５１…用紙センサ、５２…マイクロプロセッサ、５３，５４…モータ制御回路、５５…クラッチ制御回路
【図面】